(57)【要約】【解決手段】引金噴霧器容器集合体１は、ほぼ立方体の容器２と、そこに装着された引金噴霧器３とを有する。引金噴霧器３は、容器２の中心からずれて装着されて互いに反転された容器２の積重ねを許す。引金噴霧器３の最上面と組み合わせて容器２の上面４は、そこに積み重ねられた別の容器２の受容および支持を形成する。容器２は、空間効率があり、安定性があり、積重ねを許す。【選択図】図１
2004534643.tif 000002
【特許請求の範囲】
【請求項１】
容器（２）と引金噴霧器（３）とからなり、前記引金噴霧器（３）は前記容器（２）に装着されかつ該容器（２）の内部に連通されていて該容器（２）から液体を小出しする形式の引金噴霧器容器集合体（１）であって、前記容器（２）はほぼ直方体の形状をしており、該容器（２）の最狭点における基底の幅と該容器（２）の高さとの比が２：１から１：３までの範囲にあることを特徴とした、引金噴霧器容器集合体。
【請求項２】
引金噴霧器（３）の最上面（５０）と組み合わせて容器（２）の上面（４）は、そこに積み重ねられた別の容器（２）の受容および支持を共に形成する、請求項１に記載の引金噴霧器（１）。
【請求項３】
前記容器がほぼ立方体形状をしている、請求項１または２に記載の引金噴霧器。
【請求項４】
前記容器の基底の断面積と前記容器の側壁の断面積との比が２：１から１：２までの範囲にある、前記請求項のうち任意の一項に記載の引金噴霧器。
【請求項５】
前記比が約１：１である、請求項４に記載の引金噴霧器。
【請求項６】
前記容器によって占有される空間容積に対する該容器の容積が６０％以上であり、ただし前記空間容積は前記容器の対応する外側面に接触する想像上の直方体内面によって定められる、前記請求項のうち任意の一項に記載の引金噴霧器。
【請求項７】
前記相対容積は７５％以上である、請求項６に記載の引金噴霧器。
【請求項８】
前記相対容積は９０％以上である、請求項６に記載の引金噴霧器。
【請求項９】
前記引金噴霧器が前記容器の頂部の中心から十分にずれて該頂部に装着されて、１対の相互に反転された引金噴霧器集合体の積重ねを許し、該引金噴霧器が並んで各容器に乗り、各容器上の引金噴霧器が他の隣接容器の頂部に係合する、前記請求項のうち任意の一項に記載の引金噴霧器。
【請求項１０】
前記引金噴霧器が前記容器の頂部に装着され、前記引金噴霧器を前記容器に装着する手段が設けられていて、該容器の頂部から上方に離れて延びるほぼ水平位置において前記引金噴霧器の噴霧ヘッドを支持する、前記請求項１から９までのうち任意の一項に記載の引金噴霧器。
【請求項１１】
前記容器は下方部分と、該下方部分から上方に延びかつ該下方部分と共に形成する上方部分とを有し、前記上方部分の凹部に前記引金噴霧器が装着され、該引金噴霧器の最上部分が前記容器の上方部分の頂部とほぼ同一平面をなす、前記請求項のうち任意の一項に記載の引金噴霧器。
【請求項１２】
前記容器はほぼＬ字形状断面をしており、前記上方部分は前記容器の下方部分の一側において上方に延びている、請求項１１に記載の引金噴霧器。
【請求項１３】
前記引金噴霧器は前記容器の下方部分の頂面に装着され、前記上方部分の直立側壁から十分に離間されていて、引金噴霧器を握るために使用者の指または親指の挿入および通過を許す、請求項１１または１２に記載の引金噴霧器。
【請求項１４】
前記引金噴霧器への接近を容易にするために前記上方部分の端が広げられるかまたは湾曲されている、請求項１３に記載の引金噴霧器。
【請求項１５】
前記引金噴霧器を使用するさいに使用者が使用中に前記引金噴霧器および前記上方部分を把持するように、前記引金噴霧器が前記上方部分の直立側壁に接近して前記容器の下方部分の頂面に装着される、請求項１１または１２に記載の引金噴霧器。
【請求項１６】
前記引金噴霧器が前記容器上で旋回され、同時に該引金噴霧器が所望の使用位置に鎖錠されるように、該引金噴霧器が前記容器に装着される、前記請求項のうち任意の一項に記載の引金噴霧器。
【請求項１７】
充填開口が、密封キャップによって閉ざされる上方部分の頂部に設けられる、前記請求項１１から１６までのうち任意の一項に記載の引金噴霧器。
【請求項１８】
前記引金噴霧器が前記容器の側壁に枢動自在に設けられていて、前記側壁に対する平らな貯蔵位置と該側壁から外方に突出する外方伸長使用位置との間で枢動する、前記請求項のうち任意の一項に記載の引金噴霧器。
【請求項１９】
前記引金噴霧器が前記貯蔵位置と伸長使用位置との間で約９０度にわたって外方に枢動するように、前記引金噴霧器が前記容器の側壁に枢動首によって取り付けられた、請求項１８に記載の引金噴霧器。
【請求項２０】
容器と引金噴霧器とからなり、前記引金噴霧器は前記容器に装着されかつ該容器の内部に連通されていて該容器から液体を小出しする形式の引金噴霧器容器集合体であって、前記引金噴霧器の最上面と組み合わせて前記容器の上面は、そこに積み重ねられた別の容器の受容および支持を共に形成する、引金噴霧器容器集合体。
【請求項２１】
前記引金噴霧器の最上面が前記容器の頂面とほぼ同一平面をなす、請求項２０に記載の引金噴霧器。
【請求項２２】
前記引金噴霧器が前記容器の側壁に装着される、請求項２０または２１に記載の引金噴霧器。
【請求項２３】
前記引金噴霧器が前記容器の上方部分にある段付き凹部内に装着される、前記請求項２０から２２までのうち任意の一項に記載の引金噴霧器。
【請求項２４】
前記引金噴霧器が前記凹部内で上向きに装着される、請求項２３に記載の引金噴霧器。
【請求項２５】
前記引金噴霧器が前記凹部内でほぼ水平向きに装着される、請求項２３に記載の引金噴霧器。
【請求項２６】
容器と引金噴霧器とからなり、前記引金噴霧器は前記容器に装着されかつ該容器の内部に連通されていて該容器から液体を小出しする形式の引金噴霧器容器集合体であって、前記引金噴霧器が前記容器の頂部の中心から十分にずれて該頂部に装着されて、１対の相互に反転された引金噴霧器集合体の積重ねを許し、該引金噴霧器が並んで各容器に乗り、各容器上の引金噴霧器が他の隣接容器の頂部に係合する、引金噴霧器容器集合体。
【請求項２７】
噴霧ノズルを装着した噴霧ヘッド本体と、往復引金によって作動される液体ポンプと、該ポンプを液体容器の使用のさいに最下方部分に接続する容器管と、引金噴霧器を前記液体容器に装着する手段とからなる形式の液体容器の穴から外部に装着する引金噴霧器であって、前記噴霧ヘッド本体が前記容器から盛り上がった噴霧位置へおよびそこから自体の周りに折り曲げ可能な、引金噴霧器。
【請求項２８】
ヒンジ手段が、前記噴霧ヘッド本体と、前記容器に前記引金噴霧器を装着する手段とを接続する、請求項２７に記載の引金噴霧器。
【請求項２９】
前記ヒンジ手段は、折畳み式形状の首部部分によって前記噴霧ヘッド本体に設けられる、請求項２８に記載の引金噴霧器。
【請求項３０】
前記ヒンジ手段は伸長および曲げ可能な弾性材料を使用することによって設けられる、請求項２８に記載の引金噴霧器。
【請求項３１】
請求項２８に記載の引金噴霧器であって、直径方向に配列された送出穴を有する円筒形本体と、前記円筒形本体を液密状に包囲する回転自在スリーブとからなり、前記スリーブは噴霧ヘッドを装着し、導管入口を形成するスリーブの穴で終了する導管によって前記ポンプに接続され、前記導管入口に対して直径方向に対向されたスリーブの穴が容器出口を形成し、前記容器管が液密スリーブ係合口を有し、前記導管入口、前記容器出口、前記送出穴が一線上にあるとき、前記引金噴霧器が前記噴霧位置にあり、この位置から外れて前記引金噴霧器が回動するとき前記送出穴を閉じる、引金噴霧器。
【請求項３２】
前記容器は、頂壁、底壁、側壁、前記引金噴霧器を受けるように前記頂壁から直立する首部分を有し、前記引金噴霧器が折り曲げられたとき該引金噴霧器を受ける凹部を有している、前記請求項２７から３１までのうち任意の一項に記載の液体容器。
【請求項３３】
前記容器は、頂壁、底壁、側壁、前記引金噴霧器を受けるように前記頂壁から直立する首部分を有し、前記引金噴霧器容器集合体が折り曲げられたとき該引金噴霧器を受け、別の容器が積み重ねられたとき別の容器を受ける凹部を有している、前記請求項２７から３１までのうち任意の一項に記載の液体容器。
【請求項３４】
前記凹部は前記引金噴霧器を折曲げ状態に解除自在に保持するクリップ手段を含む、請求項３３に記載の液体容器。
【請求項３５】
前記クリップ手段は前記容器と一体となった突起によって設けられる、請求項３４に記載の液体容器。
【請求項３６】
噴霧ノズルを装着した噴霧ヘッド本体と、往復引金によって作動される液体ポンプと、該ポンプを液体容器の使用のさいに最下方部分に接続する容器管と、引金噴霧器を前記液体容器に装着する手段とからなる形式の引金噴霧器を装着する液体容器であって、前記引金噴霧器を装着する前記手段を受ける首部分を有する容器からなり、前記首部分は前記容器から盛り上がった噴霧位置から前記容器に対して折り曲げられた位置まで前記引金噴霧器を動かすように自体の周りに折曲げ可能な、引金噴霧器。
【請求項３７】
前記液体容器は、前記ヒンジ手段が前記首部分と前記容器本体との間に装着されるように配置される、請求項３６に記載の液体容器。
【請求項３８】
前記ヒンジ手段は前記首部分に組み付けられる、請求項３７に記載の液体容器。
【請求項３９】
前記ヒンジ手段は前記首部分に折畳み式形体によってまたは伸長、曲げ可能弾性材料によって設けられる、請求項３８に記載の液体容器。
【請求項４０】
前記ヒンジは前記首部分に脆弱部によって設けられる、前記請求項３７から３９までのうち任意の一項に記載の液体容器。
【請求項４１】
前記首部分は前記ヒンジ手段上の位置から該ヒンジ手段を超えた位置まで滑動可能な外側スリーブを含み、該外側スリーブが前記ヒンジを覆ったとき前記引金噴霧器が噴射位置に鎖錠される、請求項４０に記載の液体容器。
【請求項４２】
噴霧ノズルを装着した噴霧ヘッド本体と、往復引金によって作動される液体ポンプと、該液体ポンプを液体容器の使用のさいに最下方部分に接続する容器管と、引金噴霧器を前記液体容器に装着する手段とからなる形式の液体容器の穴から外部に装着する引金噴霧器であって、前記噴霧ヘッド本体が前記装着手段に隣接してほぼ直角に曲げられた噴霧本体からなる、引金噴霧器。
【請求項４３】
前記引金噴霧器が前記容器のための充填管を含む装着コネクタによって前記容器に取り付けられ、前記充填管が前記容器を充填する側方延長充填位置と、前記容器が直立したときに該容器の側にそって前記引金噴霧器を支持する上方延長使用位置との間で移動できる、記請求項のうち任意の一項に記載の引金噴霧器容器集合体。
【請求項４４】
前記充填管はクランク状に曲げられ、前記装着コネクタは前記充填位置と前記使用位置との間で充填管を移動させるように、前記容器上で旋回できる、請求項４３に記載の集合体。
【請求項４５】
前記充填管は可撓性ベローズ片によって前記容器に接続される、請求項４３に記載の集合体。
【請求項４６】
前記充填管は、前記充填位置と前記使用位置との間で前記充填管を移動するように反転可能なドーム状コネクタ片によって前記容器に接続される、請求項４３に記載の集合体。
【請求項４７】
前記容器は下方部分と上方部分とを有し、該両部分は前記引金噴霧器が装着される容器の頂部に凹部を形成する、前記請求項のうち任意の一項に記載の引金噴霧器容器集合体。
【請求項４８】
前記引金噴霧器は、前記上方部分付近で直立する前記下方部分の頂部に装着される、請求項４７に記載の引金噴霧器容器集合体。
【請求項４９】
前記引金噴霧器は前記下方部分の頂部を超えて外方に突出する上方部分の側に装着される、請求項４７に記載の引金噴霧器容器集合体。
【請求項５０】
容器と引金噴霧器とからなり、前記引金噴霧器は前記容器に装着されかつ該容器の内部に連通されていて該容器から液体を小出しする形式の引金噴霧器容器集合体であって、前記容器の基底に平行な面内で前記基底と前記容器の頂部との間の各点において取った前記容器の断面積が２５％以上に変化せず、好ましくはその変化が１０％以下である、引金噴霧器容器集合体。
【発明の詳細な説明】
【技術分野】
【０００１】
本発明は、容器と引金噴霧器とからなり、引金噴霧器が容器に装着されかつ容器の内部に連通して容器から液体を小出しする形式の液体噴霧小出し器に関する。
【背景技術】
【０００２】
このような容器および引金噴霧器は、洗浄液体の小出しのために広く用いられている。通常は、提供された容器は、細長い首において狭くなる本体を有し、比較的背が高く、引金噴霧器が細長い首の頂部に装着されて柄を形成する。これは、非常に便利であり、小出し器の有効な形体である。しかし、いくつかの問題がある。主な問題の１つは、比較的に背が高い形状であるために不安定になり、特に容器が液体を半分以下に入れているときに、倒されやすい容器の実際の構造である。これらのすべての容器は、梱包費用が主な配慮であるので、比較的軽量の材料から製造されている。引金噴霧器は、比較的にずっと重く、したがって容器は不安定になり、それらは空のときに特に不安定になる。
【０００３】
この不安定性は、消費者にとって不便であるが、容器が消費者によって倒され易いという点で、容器の陳列が棚に乗せるのに比較的困難となり、容器が陳列のために互いに積み重ねられない場合に、小売販売店において大きな問題である。容器の一般的な形状のために、引金噴霧器が占有することと組み合わせた実際の嵩張った慣用小出し器は、内容物の実際の使用可能容積に対して２．５倍程度の空間となる。したがって、容器は小売商が陳列をするのに比較的経費がかかる。別の問題は、容器が互いに積み重ねられないので、搬送のための容器の梱包が等しく経費がかかり、空間を消費することである。
【０００４】
本発明は、これらの問題を解決することに向けられている。
【発明の開示】
【０００５】
本発明によれば、容器と引金噴霧器とからなり、引金噴霧器は容器に装着されかつ容器の内部に連通されていて容器から液体を小出しする形式の引金噴霧器容器集合体が提供される。容器はほぼ直方体の形状をしており、容器の最狭点における基底の幅と容器の高さとの比が２：１から１：３までの範囲にあることを特徴とする。
【０００６】
本発明の一実施例においては、容器の最狭点における基底の幅と容器の高さとの比が約１：１である。
別の実施例においては、容器はほぼ立方体形状をしている。
【０００７】
別の実施例においては、容器の基底の断面積と容器の側壁の断面積との比が２：１から１：２までの範囲にある。その比は、約１：１であることが都合がよい。
別の実施例においては、容器によって占有される空間容積に対する容器の容積が６０％以上である。ただし、その空間容積は、容器の対応する外側面に接触する想像上の直方体内面によって定められる。好ましくは、相対容積は約７５％以上である。ある場合には、相対容積は９０％以上でもよい。
【０００８】
本発明の一実施例によれば、容器と引金噴霧器とからなり、引金噴霧器は容器に装着されかつ容器の内部に連通されていて容器から液体を小出しする形式の引金噴霧器容器集合体が設けられる。引金噴霧器の最上面と組み合わせて容器の上面は、そこに積み重ねられた別の容器の受容および支持を共に形成する。
【０００９】
別の実施例においては、引金噴霧器の最上面が容器の頂面とほぼ同一平面をなす。
別の実施例においては、引金噴霧器が容器の側壁に装着される。
別の実施例においては、引金噴霧器が容器の上方部分にある段付き凹部内に装着される。引金噴霧器は前記凹部内で上向きに装着されるか、または凹部内でほぼ水平向きに装着されてもよい。
【００１０】
別の実施例においては、引金噴霧器が容器の頂部の中心から十分にずれてその頂部に装着されて、１対の相互に反転された引金噴霧器集合体の積重ねを許し、引金噴霧器が並んで各容器に乗り、各容器上の引金噴霧器が他の隣接容器の頂部に係合する。
【００１１】
別の実施例においては、引金噴霧器が容器の頂部に装着され、引金噴霧器を容器に装着する手段が設けられていて、容器の頂部から上方に離れて延びるほぼ水平位置において引金噴霧器の噴霧ヘッドを支持する。このようにして、容器は非常に空間効率がよい点で有利である。比較的少量の液体が容器にある場合でさえも、安定している。
【００１２】
別の実施例においては、容器は下方部分と、その下方部分から上方に延びかつ下方部分と共に形成する上方部分とを有し、上方部分の凹部に引金噴霧器が装着される。引金噴霧器の最上部分が容器の上方部分の頂部とほぼ同一平面をなす。
【００１３】
別の実施例においては、容器はほぼＬ字形状断面をしており、上方部分は容器の下方部分の一側において上方に延びている。
別の実施例においては、引金噴霧器は容器の下方部分の頂面に装着され、上方部分の直立側壁から十分に離間されていて、引金噴霧器を握るために使用者の指または親指の挿入および通過を許す。
【００１４】
別の実施例においては、引金噴霧器を使用するさいに使用者が使用中に引金噴霧器および上方部分を把持するように、引金噴霧器が上方部分の直立側壁に接近して容器の下方部分の頂面に装着される。
【００１５】
本発明の別の観点によれば、噴霧ノズルを装着した噴霧ヘッド本体と、往復引金によって作動される液体ポンプと、ポンプを液体容器の使用のさいに最下方部分に接続する容器管と、引金噴霧器を液体容器に装着する手段とからなる形式の引金噴霧器を装着する液体容器の穴に外部から装着する引金噴霧器が設けられる。噴霧ヘッド本体は容器から盛り上がった噴霧位置へまたはそこから自体の周りに折曲げ可能である。引金噴霧器を自体の周りに折り曲げることによって、容器および引金噴霧器によって形成される小出し器の全体の背の高さは減少され、棚空間が小さくなる。
【００１６】
本発明の別の実施例においては、ヒンジ手段が噴霧ヘッド本体と容器に引金噴霧器を装着する手段とを接続する。
本発明の別の実施例においては、ヒンジ手段は折畳み式形状の首部分によって噴霧ヘッド本体に設けられる。これは、比較的効率のよい特に簡易形式のヒンジをつくる。ヒンジは伸長および曲げ可能な弾性材料を使用することによって設けられてもよい。
【００１７】
本発明の別の実施例においては、ヒンジは、直径方向に配列された送出穴を有する円筒形本体と、円筒形本体を液密状に包囲する回転自在スリーブとからなる。スリーブは噴霧ヘッドを装着し、導管入口を形成するスリーブの穴で終了する導管によってポンプに接続される。導管入口に対して直径方向に対向されたスリーブの穴が容器出口を形成する。容器管が液密スリーブ係合口を有する。これにより、導管入口、容器出口、送出穴が一線上にあるとき、引金噴霧器が噴霧位置にある。この位置から外れて引金噴霧器が回動するとき、送出穴を閉じる。これは、比較的安価なヒンジが設けられるので特に適切な構成である。そのヒンジは、噴霧位置から外れて回動されるとき、それが閉塞体としても作用し、また、噴霧器自体によって設けられたものの上で追加の閉塞体となる点で追加の利点を有する。
【００１８】
さらに、本発明は、上述した形式の引金噴霧器を装着する液体容器を提供する。その液体容器は、頂壁、底壁、側壁、引金噴霧器を受けるように頂壁から直立する首部分を有し、引金噴霧器が折り曲げられたとき引金噴霧器を受ける凹部を有している。
【００１９】
さらに、本発明は、上述した形式の引金噴霧器を装着する液体容器を提供する。その液体容器は、頂壁、底壁、側壁、引金噴霧器を受けるように頂壁から直立する首部分を有する。その底壁は、引金噴霧器が折り曲げられたとき引金噴霧器を受け、別の容器が積み重ねられたとき別の容器を受ける凹部を有している。したがって、これら２つの後者の容器構成は、小売商に対して特に効率的なスーパーマーケットにおいて、容器の積重ねを許す。容器はまた消費者に、より安定な仕方で容器を貯蔵することを許す。
【００２０】
本発明の後者の実施例においては、凹部は引金噴霧器を折曲げ状態に解除自在に保持するクリップ手段を含んでいてもよい。クリップ手段は、例えば、容器と一体となった突起によって設けられてもよい。このような容器はプラスチック材料から一般に製造され、かつ、比較的に薄い壁であるので、プラスチック材料の自然な弾性が引金噴霧器を定位置に保持するのに十分である。
【００２１】
さらに、本発明は、噴霧ノズルを装着した噴霧ヘッド本体と、往復引金によって作動される液体ポンプと、ポンプを液体容器の使用のさいに最下方部分に接続する容器管と、引金噴霧器を液体容器に装着する手段とからなる形式の引金噴霧器を装着する液体容器を提供する。液体容器は、引金噴霧器を装着する手段を受ける首部分を有する。首部分は容器から盛り上がった噴霧位置から容器に対して折り曲げられた位置まで引金噴霧器を動かすように自体の周りに折曲げ可能である。
【００２２】
この形式の容器の大きな利点は、従来の引金噴霧器が容器に装着されうることである。
本発明の別の実施例においては、液体容器はヒンジ手段が首部分と容器本体との間に装着されるように配置される。
【００２３】
本発明の別の実施例においては、ヒンジ手段は首部分に組み付けられる。ヒンジ手段が首部分に組み付けられたとき、ヒンジ手段は首部分に折畳み式形体によってまたは伸長、曲げ可能弾性材料によって設けられてもよい。
【００２４】
本発明の別の実施例においては、ヒンジは首部分の脆弱部によって設けられる。この後者の実施例においては、首部分はヒンジ手段上の位置からヒンジ手段を超えた位置まで滑動可能な外側スリーブを含む。それによって、外側スリーブがヒンジを覆ったとき、引金噴霧器が噴射位置に鎖錠される。
【００２５】
別の実施例においては、引金噴霧器は、容器の一側において直立位置に装着される。これを容易にするために、装着堤が容器の一側の底において外方に突出して設けられてもよい。
【００２６】
別の実施例においては、引金噴霧器が容器のための充填管を含む装着コネクタによって容器に取り付けられる。その充填管が容器を充填する側方延長充填位置と、容器が直立したときに容器の側にそって引金噴霧器を支持する上方延長使用位置との間で移動できる。
【００２７】
別の実施例においては、充填管はクランク状に曲げられ、装着コネクタは充填位置と使用位置との間で充填管の移動をするように容器上で旋回できる
別の実施例においては、充填管は可撓性ベローズ片によって容器に接続される。これは、充填位置と使用位置との間で充填管の移動を許すのに十分に可撓性である。
【００２８】
別の実施例においては、充填管は、充填位置と使用位置との間で充填管を移動するように反転可能なドーム状コネクタ片によって前記容器に接続される。
別の実施例においては、容器は下方部分と上方部分とを有し、両部分は引金噴霧器が装着される容器の頂部に凹部を形成する。
【００２９】
別の実施例においては、引金噴霧器は上方部分と並んで直立した下方部分の頂部に装着されてもよい。代案として、引金噴霧器は下方部分の頂部を超えて外方に突出する上方部分の側に装着されてもよい。
【発明を実施するための最良の形態】
【００３０】
図面を参照すれば、まず図１および２において、本発明にもとづく引金噴霧器容器集合体１が示されている。集合体１は、ほぼ立方体の容器２とそこに装着された引金噴霧器３とを有する。引金噴霧器３は容器２の中心からずれて容器２の頂部４に装着されて、図２に示すように、相互に反転された対の積重ねを許すことがわかる。その積重ねを達成するために、最上の引金噴霧器容器集合体１が反転され、引金噴霧器３が図示するように並んで重ね合わされる。各引金噴霧器３は他の隣接容器２の頂部に係合する。
【００３１】
引金噴霧器３は、ノズル６を有する本体５を備えている。ノズル６は、本体５内に収納されたポンプ（図示せず）の出口に接続され、引金７によって作動される。液体ピックアップ管（図示せず）がポンプの入口から容器の底まで通じている。引金７の操作に応答して、ノズル６をかいして液体を放出するように、容器からポンプをかいして液体を送出する。
【００３２】
容器２は、ほぼ方形の頂部４、底８、側面９を備えたほぼ立方体の本体を有する。これは、容器の頂部４と底８との間でほぼ均等な断面積の容器を与える。容器２は、液体がほんの一部だけ入っているときでも、非常に安定している。それは、空間容積にほぼ対応する容器内の容積または容器２によって占有される容積の非常によい空間効率である。
【００３３】
引金噴霧器３の最上面５０と組み合わせて容器２の頂部４は、積み重ねられた別の容器集合体１の受容および支持をする支持面を共に形成する。
図３および４において、別の引金噴霧器容器集合体１０が示されている。前述したものと類似の部品が同じ参照番号を付されている。この場合、引金噴霧器容器集合体１０は、容器２の頂部４上でほぼ水平向きに装着される。引金噴霧器３の本体５は、折り曲がった内側端１１を有し、その内側端１１にねじ切りカラー１２が容器２の頂部４の一側において容器２の頂部４から上方に突出する相補ねじ切り首１３と係合するように装着される。この構成は、空間効率および積重ね可能噴霧器容器集合体を提供することがわかる。
【００３４】
図５から図９までにおいて、本発明にもとづく別の引金噴霧器容器集合体３０が示されている。上述したものに類似の部品は、同じ参照番号を付されている。この場合、容器３２は、下方部分３１および段付き上方部分３２を有するほぼＬ字形になっている。上方部分３２は下方部分３１の一側から上方に延び、引金噴霧器３が装着される凹部３３を形成する。
【００３５】
容器の下方部分３１は、直立前壁３６、後壁３７、端壁３８、３９を有するほぼ直方体の基底３５を備えている。下方部分３１の頂部４０は、前壁３６から上方部分３２まで内方に延びている。
【００３６】
上方部分３２は、下方部分３１の頂壁４０の内端において上方に延びる前壁４２、下方部分３１の後壁３７の延長部を構成する後壁４３、一体に形成されかつ下方部分３１の端壁３８、３９の延長部を構成する端壁４４、４５を有する。上方部分３２の頂部４７はほぼ平らで、密封キャップによって覆われる充填開口を設けられていてもよい。
【００３７】
引金噴霧器３は、上方部分３２の頂部４７とほぼ同一面にあるほぼ平坦でかつ水平な頂面５０を有する。したがって、それらの間で、上方部分３２の頂部４７および引金噴霧器３の頂面５０が支持面を形成して引金噴霧器容器集合体３０の積重ねを許す。
【００３８】
この場合、使用のさいに使用者が引金噴霧器３および上方部分３２を握るように、引金噴霧器３が上方部分３２の前面４２に密に装着される。使用者の親指が上方部分３２の周りに延びて使用者の指が引金噴霧器３を握る。上方部分３２の後端は親指を受けるように図示するように形成される。
【００３９】
２つの引金噴霧器容器集合体３０が図９に示すように積み重ねられたとき、容器は、凹部５４内に収まる上方部分３２の頂部４７と相補状に係合するように基底３５に窪んだ凹部５４を有する。
【００４０】
また、密封キャップ４８についての一可能構造が図７、８に特に示されている。密封キャップ４８はフランジ５５を有する。中央プラグ５６は、可撓性環状首リング６０によって容器の頂部４７の充填開口５９を形成する相補状首５８内で係合するように、下方に延びている。これは、図７に示すように、充填のために首５８が外側に引き出されるようにする。次いで、密封キャップ４８が充填開口５９に係合され、プラグ５６の弾性フィン６２が密封開口５９の穴に密封係合するとき、密封キャップ４８を押し込むことによって、首集合体は、図８に示すように容器内に押し込まれるので、首集合体は容器の頂部４７の上に突出しない。このようにして、それは都合よく容器を積み重ねることを妨害しない。
【００４１】
図１０から図１２までにおいて、別の引金噴霧器容器集合体７０が示されている。上述したものと類似の部品は同一参照番号を付されている。この場合、引金噴霧器容器集合体７０は、良好な安定性と積重ね性を与えるために比較的大きな表面積の平坦基底７４および平坦頂部７５をもつほぼ立方体の容器７２を有する。引金噴霧器支持部分７７が容器７２の一側において外方に突出し、また、引金噴霧器３が容器７２に装着されて、引金噴霧器３の頂部５０が上述したように容器７２の頂部７５とほぼ同一平面にある。図１２は、互いに積み重ねられた引金噴霧器容器集合体７０を示す。基底７４および頂部７５の比較的大きな断面積は、優れた安定性を与える。
【００４２】
図１３から図１５までにおいて、別の引金噴霧器容器集合体８０が示されている。上述したものと類似の部品は、同一参照番号を付されている。集合体８０は容器８１を有する。その構造は、図５に示されている容器のものと大部分類似している。しかし、この場合、引金噴霧器３が上方部分３２の前面４２から水平向き（破線で示す）に装着されるので、上方部分３２はいくぶん小さくなっている。したがって、引金噴霧器３は下方部分３１の頂部４０を超えて突出する。再び、引金噴霧器３は凹部３３内に収まる。図１５は、２つの引金噴霧器容器集合体８０の積重ねを示す。引金噴霧器３の最上側縁８２は、引金噴霧器容器集合体８０を積み重ねるように上方部分３２の頂部４７と共に積重ね支持を形成する。
【００４３】
図１６から図１８までにおいて、別の引金噴霧器容器集合体１１０が示されている。集合体１１０は、ほぼ立方体形状をした容器１１１を含む。引金噴霧器３は、容器１１１の一側において直立状態で装着される。これを容易にするために、装着堤１１３が容器１１１の一側１１４の底において外方に突き出て設けられる。引金噴霧器３の頂部５０は容器１１１の頂部１１２と同一平面にある。引金噴霧器容器集合体１１０を使用状態に維持するために引金噴霧器３を握ったとき、側壁１１４は使用者の親指の挿入を容易にするために湾曲されている。
【００４４】
図１９から図２２までにおいて、別の引金噴霧器容器集合体１５０が示されている。集合体１５０は、箱状容器１５１とそこに装着された引金噴霧器３とを有している。容器１５１はほぼ直方体形状の下方部分１５３と、下方部分１５３の一側において下方部分１５３の頂部から上方に突出する上方部分１５４とを有している。下方部分１５３は、引金噴霧器３が収まる容器１５１の頂部において凹部１５５を形成する。この場合、引金噴霧器３は、上方部分１５４の一側に装着されて、下方部分１５３の頂部を超えて外方に突出する。その構造は引金噴霧器容器集合体１５０の積重ねを容易にし、また、容器の形状および構造はほぼ空間効率がよく、非常に安定性がある。
【００４５】
図２３から図２６までにおいて、別の引金噴霧器容器集合体１６０が示されている。集合体１６０は、引金噴霧器３が装着される容器１６１からなる。この場合、容器１６１は、容器１６１にそって引金噴霧器３を支持するように容器１６１の一側において外方に突出する装着段１６４を持ったほぼ立方体形状の主本体１６３を有する。引金噴霧器３の一側は容器１６１の頂部と同一面にある。
【００４６】
図２７から図３０までにおいて、装着カラー１８１を有する引金噴霧器容器集合体１８０が示されている。装着カラー１８１は、容器１８０上で多数の形体で示されている。
図３１から図３９までにおいて、別の引金噴霧器容器集合体１４０が示されている。集合体１４０は、図１６から図１８までに関連して述べた引金噴霧器容器集合体に大部分類似している。引金噴霧器３は装着コネクタ１１５によって容器１１１に取り付けられる。装着コネクタ１１５は、堤１１３上の支持体内で回動する内側端１１７および引金噴霧器３に接続されるのに適した外側端１１９を有する曲がり充填管１１６を含む。図３２からわかるように、充填管１１６は中間（図３８）を通り一側で容器１１１を充填する側方延長充填位置（図３７）と、容器１１１の側面１１４にそって引金噴霧器３を支持する上方延長使用位置（図３９）との間で支持体１１８上で回動される。このようにして、容器１１１の充填を容易にするために、容器１１１は図３７に示すようにその側面に置かれて、充填管１１６を上方開放位置にする。充填後、引金噴霧器３は、容器１１１にそって引金噴霧器３を支持する使用位置へ図３８および図３９に示すように回動される充填管１１６の外端１１９に取り付けられる。
【００４７】
図４０から図４４までにおいて、別の引金噴霧器容器集合体１２０が示されている。上述したものと類似の部品は、同一参照番号を付されている。この場合、充填管１２１は、十分に可撓性のあるプラスチック材料のドーム状コネクタ片１２２によって容器１１１に接続されて、図４０の側方延長充填位置と図４１、４２に示す容器の側面にそった引金噴霧器３を支持する上方延長使用位置との間で充填管１２１の移動をするように、図４１に示すようにドーム状片の反転を許す。図４４に示すように、容器を充填した後、引金噴霧器３は充填管１２１に取り付けられ、ドーム１２２が図４３に示すように容器に押し込まれかつ内方に止められる。そのとき、充填管１２１は中間位置にあり、図４１、４２に示す十分に反転されたドーム位置が充填管１２１および引金噴霧器３を容器１１１にそって直立位置に支持する。
【００４８】
図４５から図４９までにおいて、別の引金噴霧器容器集合体１３０が示されている。上述したものと類似の部品は、同一参照番号を付されている。この場合、充填管１３１はベローズの形体に設けられていて、側方延長充填位置（図４６、４８）と容器１１１の側面にそった引金噴霧器３を支持する上方延長使用位置（図４５、４７）との間で充填管１３１の回動を許す。再び、図４８に示すように、容器１１１はその側で装着されて、充填管１３１を充填の便宜のために上方に開放している。その後、引金噴霧器３が取り付けられ、充填管１３１が図４５、４７に示す使用位置に回動される。
【００４９】
図５０において、液体容器（図示せず）の穴から外部に装着される引金噴霧器２０１が設けられる。一般に、このような液体容器はねじ切り首部分を有している。引金噴霧器２０１は、噴霧ノズル２０３を装着する噴霧ヘッド本体２０２と、往復引金２０５によって作動される液体ポンプ２０４とからなる。噴霧ヘッド本体２０２を容器（図示せず）のねじ切り首部分に装着する手段は、キャップ２０６によって与えられる。さらに、噴霧ヘッド本体２０２は、ポンプ２０４を容器の使用中に最下方部分に接続する容器管２０７を支持する。噴霧ヘッド本体２０２は、それが矢印Ａの方向に折り曲げられるヒンジ２０８を有する。
【００５０】
図５１において、別の引金噴霧器容器集合体２１０が示されている。上述した図面に関連して述べられたものと類似の部品は、同一参照番号を付されている。この実施例においては、噴霧ヘッド本体２０２から横に装着されたヒンジ２１１がある。
【００５１】
図５２においては、別の構成の引金噴霧器２２０が示されている。上述した図面に関連して述べられたものと類似の部品は、同一参照番号を付されている。この実施例においては、ヒンジ２２５が設けられる。
【００５２】
図５３、５４は、別の構成の引金噴霧器２２３を示す。図５２に関連して述べられたものと類似の部品は、同一参照番号を付されている。本質的には、それらは、ヒンジ２２５が横に装着されていることを除いて同一である。それがどのように枢動するかが図５４からわかる。
【００５３】
図５５、５６においては、ヒンジ２２５がより詳細に示されている。この実施例においては、ヒンジは、噴霧ヘッド本体２０２を装着する回転自在スリーブ２２８によって包囲された直径方向配置送出穴２２７を有する円筒形本体２２６からなり、導管入口を構成するスリーブ２２８の穴２３０で終了する導管２２９によってポンプ２０４に接続される。このスリーブ２２８は、容器出口を構成する穴２３０と直径方向反対側にある別の穴２３１を持つ。容器管２０７は軸受シール２３２によってスリーブ２２８に対して装着される。図５５からわかるように、穴２３０、２３１および穴２２７が一致したとき、引金噴霧器の使用のための接続をかいして一線上にあり、また、引金噴霧器が折り曲げ位置に枢動されたとき、容器は密封される。
【００５４】
図５７においては、別の構成の引金噴霧器２４０が示されている。上述した図面に関連して述べられたものと類似の部品は、同一参照番号を付されている。この実施例においては、噴霧ヘッド本体２０２に折畳み式形体から形成されたヒンジ２４１が設けられる。この実施例においては、引金噴霧器２４０が折り曲げられたとき、噴霧ヘッド本体２０２を受容するように凹部２４６を有する踞り容器２４５が示されている。
【００５５】
図５８においては、引金噴霧器２０１を受容するように頂壁２５２に凹部２５１を有する容器２５０に装着された図５０の引金噴霧器２０１が示されている。
図５９は、底壁に凹部２５６を有する容器２５５のさらに別の構成を示す。中断線によって示されているように、引金噴霧器２０１が下方に枢動されたとき、引金噴霧器２０１はその頂部に装着された容器２５５内に収納される。
【００５６】
図６０、６１において、慣用の引金噴霧器２６１を装着する容器２６０が示されている。その図面において上述した図面に関連して述べたものと類似の部品は同じ参照番号によって表されている。この実施例においては、容器２６０は、図６０の矢印Ａの方向かまたは図６１の矢印Ｂの方向に折り曲げられる折畳み式曲げ部２６３を有する首２６２を有する。
【００５７】
図６２、６３において、頂壁にある凹部２６６、脆弱部２６８を組み入れた首部分２６７、図６２に示す位置へ滑動可能なスリーブ２６９を有する容器２６５に装着された従来の引金噴霧器２６１が再び設けられている。その場合、スリーブ２６９は脆弱部２６８を覆って引金噴霧器２６１を従来の仕方で作動させる。他方、矢印Ｂの方向に図６３に示す位置まで動かされたとき、脆弱部２６８が露出され、引金噴霧器２０１が凹部２６６内に折り曲げられる。
【００５８】
図６４、６５において、引金噴霧器２７０のさらに別の構成が示されている。その図面において上述した図面に関連して述べたものと類似の部品は同じ参照番号によって表されている。この実施例において、噴霧ヘッド本体２０２は剛性スリーブ２７１を装着する。噴霧ヘッド本体２０２は２７２の箇所で脆弱にされている。このようにして、スリーブ２７１がキャップ２０６に係合されたとき、脆弱部２７２はスリーブ２７１とキャップ２０６との間で折り曲げられ、したがって、引金噴霧器２７０が従来の仕方で用いられる。しかし、スリーブ２７１が矢印Ｃの方向に上方に後退されたとき、脆弱部２７２は露出され、また、引金噴霧器２７０が矢印Ａの方向に折り曲げられる。
【００５９】
図示した種々の容器集合体のすべては、使用中に有利に非常に安定しており、噴霧器によって占有される空間が内容物の非常に高い割合で使用可能な点で、例えば、貯蔵、棚積み陳列、搬送のために積み重ねられ、非常に空間効率がよい。
【００６０】
本発明の容器の改良された安定性は、生産ラインにおいて簡便かつ迅速な充填を容易にする。さらに、本発明の容器のより小型構造の観点から、所定の容積の容器を与えるためにより少ない材料が使われる。これは、容器の製造を節約し、使用済み容器の廃棄および再生産の環境問題を軽減する。
【００６１】
引金噴霧器は、着脱自在取付け具によって、または可能ならば例えば、溶接もしくは接着によるような恒久取付けによって任意の適切な仕方で容器に取り付けられてもよい。
別個の充填穴が容器に設けられている場合には、これは容器を充填する前に、引金噴霧器を容器に取り付ける可能性を与え、容器を充填することに関してより大きな便宜性と費用削減を与える。
【００６２】
明細書において、「からなる」という用語またはその変形用語、「含む」という用語またはその変形用語は、総合的に交換可能であり、それらの用語は最も広い可能な解釈をもたらされるべきである。
【図面の簡単な説明】
【００６３】
【図１】本発明にもとづく引金噴霧器容器集合体の斜視図である。
【図２】図１に表す１対の引金噴霧器容器集合体の斜視図であって、積み重ねられた状態を示す。
【図３】本発明の第２実施例にもとづく引金噴霧器容器集合体の側面図である。
【図４】図３に示す集合体の引金噴霧器の側面図である。
【図５】本発明の第３実施例にもとづく別の引金噴霧器容器集合体の斜視図である。
【図６】図５に示す集合体の下部側斜視図である。
【図７】図５に示す集合体の一部の詳細部分分解断面図である。
【図８】図７と類似の図面であって、別の使用状態にある一部を示す。
【図９】互いに積み重ねられた図５に示す２つの容器集合体の立面図である。
【図１０】別の引金噴霧器容器集合体の斜視図である。
【図１１】図１０に示す集合体の下部側斜視図である。
【図１２】互いに積み重ねられた図１０に示す３つの容器集合体の立面図である。
【図１３】別の引金噴霧器容器集合体の斜視図である。
【図１４】図１３に示す集合体の下部側斜視図である。
【図１５】互いに積み重ねられた図１３に示す２つの集合体の立面図である。
【図１６】別の引金噴霧器容器集合体の立面図である。
【図１７】図１６の引金噴霧器容器集合体の端面図である。
【図１８】図１６の引金噴霧器容器集合体の平面図である。
【図１９】別の引金噴霧器容器集合体の立面図である。
【図２０】図１９の引金噴霧器容器集合体の端面図である。
【図２１】図１９の引金噴霧器容器集合体の平面図である。
【図２２】図１９に示す引金噴霧器容器集合体の容器部分の断面図である。
【図２３】別の引金噴霧器容器集合体の立面図である。
【図２４】図２３の引金噴霧器容器集合体の端面図である。
【図２５】図２３の引金噴霧器容器集合体の平面図である。
【図２６】図２３に示す引金噴霧器容器集合体の容器の断面図である。
【図２７】本発明の引金噴霧器容器集合体用の異なる容器の立面図である。
【図２８】本発明の引金噴霧器容器集合体用の異なる容器の立面図である。
【図２９】本発明の引金噴霧器容器集合体用の異なる容器の立面図である。
【図３０】本発明の引金噴霧器容器集合体用の異なる容器の立面図である。
【図３１】別の引金噴霧器容器集合体用容器の斜視図である。
【図３２】図３１に示す容器の別の斜視図である。
【図３３】図３１に示す容器を組み付けた引金噴霧器容器集合体の立面図である。
【図３４】図３３に示す引金噴霧器容器集合体の端面図である。
【図３５】図３３の容器集合体の平面図である。
【図３６】図３３に示す引金噴霧器容器集合体の構成、充填、組立の順次工程を示す立面図である。
【図３７】図３３に示す引金噴霧器容器集合体の構成、充填、組立の順次工程を示す立面図である。
【図３８】図３３に示す引金噴霧器容器集合体の構成、充填、組立の順次工程を示す立面図である。
【図３９】図３３に示す引金噴霧器容器集合体の構成、充填、組立の順次工程を示す立面図である。
【図４０】別の引金噴霧器容器集合体用容器の斜視図である。
【図４１】図４０の容器の斜視図である。
【図４２】図４０に示す容器を組み付けた引金噴霧器容器集合体の分解側面図である。
【図４３】使用状態にある図４０に示す容器の断面図である。
【図４４】図４３と類似の図面であって、別の使用状態にある容器を示す。
【図４５】別の引金噴霧器容器集合体用容器の斜視図である。
【図４６】図４５に示す容器の別の斜視図である。
【図４７】図４５に示す容器を組み付けた引金噴霧器容器集合体の断面図である。
【図４８】使用状態を示す図４５の容器の断面図である。
【図４９】別の使用状態を示す図４５の容器の断面図である。
【図５０】本発明にもとづく引金噴霧器の側面図である。
【図５１】別の引金噴霧器の端面図である。
【図５２】さらに別の引金噴霧器の側面図である。
【図５３】別の引金噴霧器の端面図である。
【図５４】折曲げ状態にある図５３に示す引金噴霧器の端面図である。
【図５５】図５２−図５４に示す引金噴霧器の一部の詳細断面図である。
【図５６】図５５と類似の図面であって、異なる状態にある図５５のヒンジを示す。
【図５７】本発明にもとづく引金噴霧器の別構成を示す側面図である。
【図５８】本発明にもとづく容器および引金噴霧器の部分断面概略構成図である。
【図５９】図５８と類似の図面であって、本発明にもとづく別の容器および引金噴霧器を示す。
【図６０】本発明にもとづく容器の別構成の側面図である。
【図６１】図６０の容器の端面図である。
【図６２】引金噴霧器を取り付けた本発明にもとづく容器の別構成の側面図である。
【図６３】折曲げ状態にある図６２の引金噴霧器を示す容器の側面図である。
【図６４】本発明にもとづく引金噴霧器の別構成の側面図である。
【図６５】まさに折り曲げられるべき伸長状態にある図６４の引金噴霧器の側面図である。
【国際公開パンフレット】
2004534643.tif 000003
2004534643.tif 000004
2004534643.tif 000005
2004534643.tif 000006
2004534643.tif 000007
2004534643.tif 000008
2004534643.tif 000009
2004534643.tif 000010
2004534643.tif 000011
2004534643.tif 000012
2004534643.tif 000013
2004534643.tif 000014
2004534643.tif 000015
2004534643.tif 000016
2004534643.tif 000017
2004534643.tif 000018
2004534643.tif 000019
2004534643.tif 000020
2004534643.tif 000021
2004534643.tif 000022
2004534643.tif 000023
2004534643.tif 000024
2004534643.tif 000025
2004534643.tif 000026
2004534643.tif 000027
2004534643.tif 000028
2004534643.tif 000029
2004534643.tif 000030
2004534643.tif 000031
2004534643.tif 000032
2004534643.tif 000033
2004534643.tif 000034
2004534643.tif 000035
2004534643.tif 000036
2004534643.tif 000037
2004534643.tif 000038
2004534643.tif 000039
2004534643.tif 000040
2004534643.tif 000041
2004534643.tif 000042
2004534643.tif 000043
2004534643.tif 000044
2004534643.tif 000045
2004534643.tif 000046
2004534643.tif 000047
2004534643.tif 000048
2004534643.tif 000049
2004534643.tif 000050
2004534643.tif 000051
2004534643.tif 000052
2004534643.tif 000053
2004534643.tif 000054
2004534643.tif 000055
2004534643.tif 000056
2004534643.tif 000057
2004534643.tif 000058
2004534643.tif 000059
【国際調査報告】
2004534643.tif 000060
2004534643.tif 000061
2004534643.tif 000062